(57)【要約】【課題】従来、フェンス設置用の基礎ブロック設置工事では、スコップ等による人力掘削作業や油圧ショベルのバケットによる掘削作業を行っていた。  油圧ショベルのバケットによる掘削作業では基礎ブロック設置及び、土の埋め戻し作業終了後、残土をダンプトラックへ積込む二次的な作業が発生するという欠点があった。また人力掘削作業や油圧ショベルのバケットによる掘削作業ではどちらの作業に置いても地盤が硬い場合、作業が難航していた。【解決手段】  油圧ショベルに取付る油圧ブレーカ用ロッドを本発明の垂直掘削アタッチメントに変更し掘削作業を行うことにより、基礎ブロック外周寸法より若干程度大きい外周寸法の立方体状の孔の掘削作業が可能となる。  それにより、上記のような作業の省略化、労力の軽減及び作業時間の短縮を実現することが可能となる。【選択図】図１
2009084985.tif 000002
【特許請求の範囲】
【請求項１】
油圧ショベルに使用される油圧ブレーカの取付ロッドの代わりに装着可能な棒状の取付軸の下部に四角形の天板を取付け、その下部に四面の壁で囲われ内部が空洞の中空立方体状で下部が開口した掘削機具本体を取付けた構造で、地面に垂直方向に所望の深さまで打撃圧入し、引き上げを行うことにより、フェンス設置用基礎ブロック設置時の掘削作業における立方体状の孔を掘削することを可能にした垂直掘削アタッチメント。
【請求項２】
請求項１に記載の四面の壁は、油圧ブレーカで地面に打撃圧入を行う際、地面に容易に圧入するため、前記の壁の下部先端の断面に４０度から５０度程度の角度を設けた刃先を有する垂直掘削アタッチメント。
【請求項３】
請求項１に記載の掘削機具本体の外周寸法は、一回の打撃圧入の動作により、フェンス設置用基礎ブロックの外周寸法より若干程度大きい寸法の立方体状の孔の掘削を可能にするため、幅、奥行、高さをフェンス設置用基礎ブロックより若干程度大きい寸法とした垂直掘削アタッチメント。
【請求項４】
請求項１に記載の打撃圧入、また引き上げ作業を行うことにより、前記、掘削機具本体の内部の空洞部に圧縮された土の反作用力と掘削機具本体の壁内側に働く周面摩擦抵抗力を利用して、垂直上方向に立方体状の土を引き抜くことを特徴とする垂直掘削アタッチメント。
【発明の詳細な説明】
【技術分野】
【０００１】  本発明は、フェンス設置用の基礎ブロック設置工事の掘削作業における労力の軽減、作業時間の短縮、且つ作業を簡略化することを可能にする油圧ショベルに取付ける垂直掘削アタッチメントに関する。
【背景技術】
【０００２】  従来のフェンス設置用の基礎ブロック設置工事の掘削作業では、スコップ等を用いた人力掘削作業、または油圧ショベルのバケットによる掘削作業を行っている。【０００３】  油圧ショベルのバケットによる掘削作業では基礎ブロックの大きさに対し過大な余掘りを行い、基礎ブロック据付作業後の基礎ブロック周辺への残土の埋め戻し及び転圧作業を行っている。
【発明の開示】
【発明が解決しようとする課題】
【０００４】  従来の人力による掘削作業では、多大な労力と作業時間を費やしていた。【０００５】  また、従来の油圧ショベルのバケットによる掘削作業では、過大な余掘りを行わざるを得ず、それに伴う以下のような作業が発生していた。【０００６】  まず、過大な余掘り分の掘削土を埋め戻し用として一旦、掘削箇所周辺に仮置きし、基礎ブロック設置作業後の埋め戻し及び転圧作業に余分な時間がかかっていた。【０００７】  次に、基礎ブロック設置作業終了後、残土をダンプトラックへ積込む二次的な作業が発生するという欠点があった。【０００８】  そして、人力掘削作業、油圧ショベルのバケットによる掘削作業ではどちらの作業においても地盤が硬い場合、作業が難航していた。【０００９】  そこで、油圧ショベルに取付る油圧ブレーカ用取付ロッドを本発明の垂直掘削アタッチメントに変更し、掘削作業を行うことにより上記のような作業の省略化、労力の軽減及び作業時間の短縮を実現することを目的とするものである。
【課題を解決するための手段】
【００１０】（イ）本発明の垂直掘削アタッチメントの掘削機具本体寸法は、フェンス設置用基礎ブロック外周寸法より若干程度大きい外周寸法とする。
（ロ）油圧ブレーカの打撃力により本発明の垂直掘削アタッチメントを垂直下方向へ所望した深さまで打撃圧入を行う。
（ハ）本発明の垂直掘削アタッチメントを打撃圧入することで、垂直掘削アタッチメントの壁内側の土が圧縮される。
（ニ）本発明の垂直掘削アタッチメントの壁内側への圧縮された土の反作用力と、垂直掘削アタッチメントの壁内側と内部に圧縮された土の周面摩擦抵抗力が働く。
（ホ）その後、そのまま静的に、垂直掘削アタッチメントを垂直上方向への引き上げを行うと前記周面摩擦抵抗力により、所望した深さまでと同程度且つ、基礎ブロック外周寸法より若干程度大きい外周寸法の立方体状の孔の掘削作業が可能となる。
【発明の効果】
【００１１】  本発明の垂直掘削アタッチメントを用いて掘削作業を行うことにより、人力による掘削作業が不要となり、且つ油圧ショベルのバケットによる掘削作業で発生していた過大な余掘りを行わなくて済み、基礎ブロック据付作業後の埋め戻し及び転圧作業も簡略化出来ることとなる。【００１２】  また、本発明の垂直掘削アタッチメントを用いて掘削作業を行うことにより、垂直掘削アタッチメント内部に圧縮された土をそのままダンプトラックへ直接的に積込む作業も可能となり、残土を掘削箇所周辺への掘削土を仮置きも不要である。
【発明を実施するための最良の形態】
【００１３】  以下、本発明の実施の形態を図１〜１０に基づいて説明する。【００１４】  図２においては、取付軸１は円柱状で下部にフランジ１Ａを設けた形状。（以下取付軸）天板３にタップ孔３Ａを複数個所設ける。天板３と四面からなる壁４を取付ける。その内部は空洞であり、下部は開口している形状である。壁４の下部先端を鋭角にし刃先４Ａとする。（以下掘削機具本体）取付軸と掘削機具本体のタップ孔３Ａに取付ボルト２で固定する。（以下垂直掘削アタッチメント）【００１５】  図３においては、垂直掘削アタッチメントを地面９から地中９Ａへ打撃圧入する際に、空洞部５の空気を外へ逃がす必要がある為、天板３に空気抜き用貫通孔３Ｂを複数個所設ける。【００１６】  図５においては、ブーム７Ａに取付けた油圧ブレーカ６に垂直掘削アタッチメントを取付ける。【００１７】  以下、上記構成の動作を説明する。図８においては、垂直掘削アタッチメントが打撃圧入後、圧縮された土８の反作用力と、垂直掘削アタッチメントの壁４の内側と内部に圧縮された土８の周面摩擦抵抗力により、垂直掘削アタッチメントと共に圧縮された土８が垂直上方向へ引き上げられる。
【図面の簡単な説明】
【００１８】
【図１】本発明の実施形態を示す垂直掘削アタッチメントの外観斜視図
【図２】同垂直掘削アタッチメントの側面図
【図３】同垂直掘削アタッチメントの真上方向から見た図
【図４】図２におけるＡ−Ａ線断面図
【図５】図３におけるＢ−Ｂ線断面図
【図６】ブーム７Ａに取付けた油圧ブレーカ６に取付けた同垂直掘削アタッチメントの外観斜視図
【図７】油圧ショベル７に取付けたブーム７Ａに取付けた油圧ブレーカ６に取付けた同垂直掘削アタッチメントの側面図
【図８】ブーム７Ａに取付けた油圧ブレーカ６に取付けた同垂直掘削アタッチメントで地面９に打撃圧入を行っている側面図
【図９】ブーム７Ａに取付けた油圧ブレーカ６に取付けた同垂直掘削アタッチメントで地面９に打撃圧入を行い圧縮された土８が垂直上方向に引き上げられた側面図
【図１０】立方体の孔１０にフェンス設置用基礎ブロック１１が設置された断面図
【符号の説明】
１  取付軸
１Ａ  フランジ
２  取付ボルト
３  天板
３Ａ  タップ孔
３Ｂ  空気抜き用貫通孔
４  壁
４Ａ  刃先
５  空洞部
６  油圧ブレーカ
７  油圧ショベル
７Ａ  ブーム
８  圧縮された土
９  地面
９Ａ  地中
１０  立方体状の孔
１１  フェンス設置用基礎ブロック
１２  垂直掘削アタッチメント
１３  埋め戻し用の残土
１４  開口
【図１】
2009084985.tif 000003
【図２】
2009084985.tif 000004
【図３】
2009084985.tif 000005
【図４】
2009084985.tif 000006
【図５】
2009084985.tif 000007
【図６】
2009084985.tif 000008
【図７】
2009084985.tif 000009
【図８】
2009084985.tif 000010
【図９】
2009084985.tif 000011
【図１０】
2009084985.tif 000012